(57)【特許請求の範囲】
【請求項１】
内部にコンクリートを打ち継ぎつつ上方へ移動させるコンクリート成形型枠と、該コンクリート成形型枠を支持する型枠支持材体と、前記型枠内に挿通されたクライミングロッドと、該クライミングロッドに対して前記型枠支持体を支持させて上昇動作させるクライミングジャッキとを備えてなるスリップフォームにあって、前記型枠支持体に吊り持ち支持され、内部に前記クライミングロッドが相対移動可能に挿通され、下端側が前記型枠内のコンクリート打ち継ぎ位置に垂下されたガイドパイプを備えてなるスリップフォームにおけるクライミングロッドガイド装置において、
前記型枠支持体に吊り持ちされ、前記クライミングロッドを内部に挿通する剛性の内筒と、該内筒外周に上端がクッション材の撓み分だけ軸方向に移動可能に支持され、少なくとも外周面を下端側が細いテーパ状に成形された弾性伸縮性のある外筒とをもってガイドパイプを構成させ、前記外筒を前記型枠内のコンクリート打設位置に垂下させたことを特徴としてなるスリップフォームにおけるクライミングロッドガイド装置。
【請求項２】
内筒の下端を型枠内のコンクリート打設位置まで垂下させ、該内筒の外面を、その下端側を細くしたテーパ状となし、該内筒の外周に外筒を嵌め合わせてなる請求項１に記載のスリップフォームにおけるクライミングロッドガイド装置。
【請求項３】
内筒の下端部に外筒の上端部を支持させ、外筒内に直接にクライミングロッドを挿通させてなる請求項１に記載のスリップフォームにおけるクライミングロッドガイド装置。
【請求項４】
内筒の外周に周方向に向けて環状突起を一体に突設し、該突起に対してクッション材を介して移動可能に外筒支持金具を系合させ、該外筒支持金具に外筒の上端部を支持させ、スリップフォーム移動時に前記弾性材の縮み代分だけ前記内筒に対して外筒が軸方向に相対移動できるようにしてなる請求項１、２若しくは３に記載のスリップフォームにおけるクライミングロッドガイド装置。
【請求項５】
外筒の上端部に補強材を埋設してなる請求項１〜３若しくは４に記載のスリップフォームにおけるクライミングロッドガイド装置。
【発明の詳細な説明】
【０００１】
【発明の属する技術分野】
本発明は、コンクリート製のサイロや煙突等の塔状構造物を構築する際に使用するスリップフォームに設置されるクライミングロッドガイド装置に関する。
【０００２】
【従来の技術】
従来、この種の塔状構造物の構築にはスリップフォーム（スライディングフォームとも称される）が使用されることが多い。この従来のスリップフォームは、図９、図１０に示すように、構築しようとする塔状構造物Ａの内面及び外面を成形する内型枠１及び外型枠２を有し、この両型枠を通常ヨークと称されている鳥居型の型枠支持体３の両脚部５，５に支持させている。また、両型枠１，２間、即ち塔状構造物Ａの肉厚部内にクライミングロッド６を立設し、これに対して型枠支持体３の水平梁部７を、クライミングジャッキ８を介して支持させている。そして、両型枠１，２間にコンクリートを打設した後クライミングジャッキ８により、クライミングロッド６に反力を取って型枠支持体３を上昇させ、両型枠１，２を次のコンクリート打設高さに上昇させるようにしている。
【０００３】
この種のスリップフォームにおいては、塔状構造物の構築後にクライミングロッド６を抜き取る必要から、順次打ち継ぎされるコンクリートとの付着を防止するためにガイドパイプ９が使用されている。この従来のガイドパイプ９は中空の鋼管が使用され、水平梁部７から支持ロッド１０を介して垂下し、その内部にクライミングロッド６を挿通させている。
【０００４】
このガイドパイプ９を両型枠１，２間のコンクリート打設位置まで垂下させ、所定の打設高さまでコンクリートを打設した後、型枠支持体３とともに上昇されるようになっている。
【０００５】
【発明が解決しようとする課題】
このような従来のスリップフォームにおけるガイドパイプの構造では、型枠の上昇とともにコンクリート内から引き上げ易くするために、外周面を下端側が細いテーパ状に成形しているところであるが、夜間作業ができない場合等、一定時間作業を休止しなければならないことがあり、このような休止時間中にコンクリートがガイドパイプの外周面に直接と付着して固化すると、作業再開後の引抜き抵抗が大きくなって上昇させることが困難となるという問題があった。
【０００６】
本発明はこのような従来の問題に鑑み、コンクリートの固化後であってもガイドパイプの引き上げが少ない力で容易になされるスリップフォームにおけるクライミングロッドガイド装置の提供を目的としてなされたものである。
【０００７】
【課題を解決するための手段】
上述の如き従来の問題を解決し、所期の目的を達成するための本発明の特徴は、内部にコンクリートを打ち継ぎつつ上方へ移動させるコンクリート成形型枠と、該コンクリート成形型枠を支持する型枠支持材体と、前記型枠内に挿通されたクライミングロッドと、該クライミングロッドに対して前記型枠支持体を支持させて上昇動作させるクライミングジャッキとを備えてなるスリップフォームにあって、前記型枠支持体に吊り持ち支持され、内部に前記クライミングロッドが相対移動可能に挿通され、下端側が前記型枠内のコンクリート打ち継ぎ位置に垂下されたガイドパイプを備えてなるスリップフォームにおけるクライミングロッドガイド装置において、前記型枠支持体に吊り持ちされ、前記クライミングロッドを内部に挿通する剛性の内筒と、該内筒外周に上端がクッション材の撓み分だけ軸方向に移動可能に支持され、少なくとも外周面を下端側が細いテーパ状に成形された弾性伸縮性のある外筒とをもってガイドパイプを構成させ、前記外筒を前記型枠内のコンクリート打設位置に垂下させたことにある。
【０００８】
尚、内筒の下端を型枠内のコンクリート打設位置まで垂下させ、該内筒の外面を、その下端側を細くしたテーパ状となし、該内筒の外周に外筒を嵌め合わせた構造としても良く、内筒の下端部に外筒の上端部を支持させ、外筒内に直接にクライミングロッドを挿通させた構造としてもよい。
【０００９】
また、内筒の外周に周方向に向けて環状突起を一体に突設し、該突起に対してクッション材を介して移動可能に外筒支持金具を系合させ、該外筒支持金具に外筒の上端部を支持させ、スリップフォーム移動時に前記弾性材の縮み代分だけ前記内筒に対して外筒が軸方向に相対移動できるようにすること、及び、外筒の上端部に補強材を埋設することが好ましい。
【００１０】
【発明の実施の形態】
次に本発明の実施の形態を図１〜図８について説明する。尚、前述した従来例と同一部分には同一符号を付して重複説明を省略する。
【００１１】
図１は本発明の第１実施形態を示している。この実施形態では、前述した従来例と同じ型枠支持体の水平梁部７から支持ロッド１０，１０を介してガイドパイプ１５が垂下されている。このガイドパイプ１５は鋼管からなる内筒１５ａとその外側に嵌合させた合成樹脂製の伸縮性を有する外筒１５ｂとから構成されている。
【００１２】
内筒１５ａは図２、図３に示すように、内面が両端に亘って等径に成形され、コンクリート埋設部分上端Ｈより梢上側から下端にかけて下側を細くしたテーパ状に成形されている。一方外筒１５ｂは内筒１５ａのコンクリート埋設部分上端Ｈの梢上側から下端にかけて内筒の外周を被覆したテーパ状に形成されており、内筒１５ａに対して移動可能に嵌め合わされている。
【００１３】
外筒１５ｂは、その上端部が可動連結機構１６を介して内筒外周に一定長さ分だけ軸方向に移動可能に支持されている。この可動連結機構１６は、内筒１５ａの外周に周方向に向けて一体に突設した環状突起１７と、この環状突起１７の外側に嵌めつけた筒状の外筒支持金具１８、及びリング状のクッション材１９をもって構成されている。
【００１４】
外筒支持金具１８は両端部内周にそれぞれ環状の係止突部１８ａ，１８ｂが一体に突設され、上端側の係止突部１８ａと内筒外周の環状突起１７との間にクッション材１９が挿入され、下端側の係止突起１８ｂと前記環状突起１７との間に、外筒外周に形成した太径部２０が挿入されている。そして、外筒１５ｂに引き下げ方向の外力が加わると、太径部２０を介して外筒支持金具１８が引き下げ方向の荷重が加わり、これによってクッション材１９が圧縮され、その撓み代分だけ外筒支持金具１８及び外筒１５ｂが下側に移動されるようになっている。
【００１５】
また、外筒１５ｂに対する引き下げ方向の外力が無くなると、クッション材１９の復元力によって元の位置に戻されるようになっている。
【００１６】
尚、外筒支持金具１８は図６に示すように半割状に成形したものを図２に示すようにボルトによって筒状に組み立てて装着する。またクッション材１９も図７に示すように半割状に成形したものをリング状に付き合わせて装着する。
【００１７】
また、外筒１５ｂは、図５に示すように、上端より太径部２０の梢下にかけてワイヤー等の補強線材２１を埋設したものを使用してもよい。
【００１８】
このように構成されるクライミングロッドガイド装置は、図１に示すようにガイド１５の下端が両型枠１，２間に打設されるコンクリートＢに埋没する高さまで垂下され、その内部にクライミングロッド６を挿通させる。この状態で所定の高さまでコンクリートＢを打設し、型枠支持体３を上昇させて型枠１，２を次の打設高さ位置まで上昇させる。この型枠の上昇は、例えば１時間に２０ｃｍ程度の速度とし、打設されたコンクリートＢは４〜５時間位後に、およそ固化した状態で型枠下端から出るようにする。
【００１９】
この時、ガイドパイプ１５が共に上昇されるが、外筒１５ｂはコンクリートＢに付着しているため、当初は上昇方向に対する抵抗が大きい。このため内筒１５ａに上昇力が作用すると、外筒１５ｂが移動する前に先ず内筒１５ａが上昇される。内筒外面は下端側が細いテーパ状であるため、外筒１５ｂ内を容易に上昇できる状態にあり、クッション材１９を圧縮しつつ上昇する。
【００２０】
この内筒１５ａの上昇によって内筒１５ａと外筒１５ｂとの間に隙間ができ、クッション材１９及び外筒支持金具１８を介して外筒１５ｂに作用する引き上げ力によって外筒１９が引き伸ばされ、前記隙間分だけ縮径されてコンクリートＢに対する付着が剥がされる。
【００２１】
このようにしてコンクリートＢとの付着が解除された後は、外筒１５ｂは殆ど抵抗なく所定の高さまで引き上げるられる。
【００２２】
図８は本発明の第２実施形態を示しており、この実施形態では第１実施形態における内筒１５ａの下端をコンクリートＢの打設高さよりやや上側までの長さとし、外筒１５ｂのみをコンクリート埋没位置まで垂下させたものであり、その他の構成は第１実施形態と同様であるため同一部分には同一符号を付して重複説明を省略する。
【００２３】
この実施形態では型枠上昇時に内筒１５ａに上昇力が作用すると、クッション材１９及び外筒支持金具１８を介して外筒１５ｂに上昇方向の外力が作用する。この時外筒１５ｂの内側は空洞であるため、容易に引き伸ばされて縮径され、コンクリートＢに対する付着が剥離されて上昇する。
【００２４】
【発明の効果】
上述のように、本発明に係るスリップフォームにおけるクライミングロッドガイド装置にあっては、型枠支持体に吊り持ちされ、クライミングロッドを内部に挿通する剛性の内筒と、該内筒外周に上端がクッション材の撓み分だけ軸方向に移動可能に支持され、少なくとも外周面を下端側が細いテーパ状に成形された弾性伸縮性のある外筒とをもってガイドパイプを構成し、前記外筒を前記型枠内のコンクリート打設位置に垂下させたことにより、スリップフォームの上昇に追随してガイドパイプが少ない力でスムーズに上昇されることとなり、スリップフォームの上昇に必要なエネルギーが少なくて済むこととなったものであり、特に作業休止中にガイドパイプの外面にコンクリートが付着して固化した状態から作業を再開させるような場合に、より効果的である。
【００２５】
また、内筒の下端を型枠内のコンクリート打設位置まで垂下させ、該内筒の外面を、その下端側を細くしたテーパ状となし、該内筒の外周に外筒を嵌め合わせることにより、外筒に柔軟性の高い材料が使用できることなり、外筒引き上げ時のコンクリートに対する剥離がより少ない力でなされ、合わせてクライミングロッドに座屈に対して内筒が対抗することとなり、ガイドパイプの引き上げに大きな支障を来さない。
【００２６】
また、内筒の下端部に外筒の上端部を支持させ、外筒内に直接クライミングロッドを挿通させることにより、クライミングロッドに座屈の心配がない場合においては、引き上げ時における外筒の、縮径方向の変形に対する制約が少なくなる。
【００２７】
更に、内筒の外周に周方向に向けて環状突起を一体に突設し、該突起に対してクッション材を介して移動可能に外筒支持金具を系合させ、該外筒支持金具に外筒の上端部を支持させ、スリップフォーム移動時に前記弾性材の縮み代分だけ前記内筒に対して外筒が軸方向に相対移動できるようにしたことにより、内筒に対する外筒の移動可能な支持が合理的になされる。
【００２８】
更に、外筒の上端部に補強材を埋設することにより、引き上げ当初に最も大きな引張力が作用する部分が好適に補強され、外筒の耐久性が向上する。
【図面の簡単な説明】
【図１】本発明に係るガイド装置の第１実施形態を示す縦断面図である。
【図２】同上のガイド筒部分を拡大して示す半断面図である。
【図３】図１に示すガイド装置の内筒を示す半断面図である。
【図４】同上の外筒を示す半断面図である。
【図５】（イ）は、図１に示す装置に使用する外筒の他の例を示す半断面図、（ロ）は、（イ）中のＡ−Ａ線断面図である。
【図６】（イ）は、図１に示す装置の外筒支持金具を示す平面図、（ロ）は同半断面図である。
【図７】（イ）は、図１に示す装置のクッション材を示す平面図、（ロ）は同半断面図である。
【図８】本発明に係るガイド装置の第２実施形態のガイド筒部分を拡大して示す半断面図である。
【図９】従来のスリップフォームの概略を示す平面図である。
【図１０】同上の型枠上昇装置部分の断面図である。
【符号の説明】
Ａ  塔状構造物
Ｂ  コンクリート
１  内型枠
２  外型枠
３  型枠支持体
５  脚部
６  クライミングロッド
７  水平梁部
８  クライミングジャッキ
１０  支持ロッド
１５  ガイドパイプ
１５ａ  内筒
１５ｂ  外筒
１６  可動連結機構
１７  環状突起
１８  外筒支持金具
１８ａ，１８ｂ  係止突起
１９  クッション材
２０  太径部
２１  補強線材
【図１】
0004292528.tif 000002
【図２】
0004292528.tif 000003
【図３】
0004292528.tif 000004
【図４】
0004292528.tif 000005
【図５】
0004292528.tif 000006
【図６】
0004292528.tif 000007
【図７】
0004292528.tif 000008
【図８】
0004292528.tif 000009
【図９】
0004292528.tif 000010
【図１０】
0004292528.tif 000011